(57)【要約】【課題】ユーザーの利便性の向上を図ることができる画像処理システムを提供する。【解決手段】画像処理システム２４は、画像を処理する複合機１１ａ、および複合機１１ａと無線通信が可能な携帯端末装置３１を含む。携帯端末装置３１は、携帯端末装置送信制御部３７と、携帯端末装置判断部３８と、表示制御部３９とを備える。携帯端末装置送信制御部３７は、携帯端末装置３１の所定の動作に基づいて、携帯端末装置通信部３６による複合機１１ａとの間の通信確立の要求、および所定のジョブの実行の要求を送信するよう制御する。携帯端末装置判断部３８は、複合機１１ａから送信された通信確立の要求に対する返信および複合機１１ａの特定情報を携帯端末装置通信部３６により受信したか否かを判断する。表示制御部３９は、携帯端末装置判断部３８により、通信確立の要求に対する返信および特定情報を受信したと判断されれば、特定情報をタッチパネル３５に表示するよう制御する。【選択図】図４
2018013952.tif 000002
【特許請求の範囲】
【請求項１】
画像を処理する画像処理装置、および前記画像処理装置と無線通信が可能な携帯端末装置を含む画像処理システムであって、
前記携帯端末装置は、
情報を表示すると共に、情報の入力を受け付けるタッチパネルと、
前記画像処理装置との間で無線通信を確立させる携帯端末装置通信部と、
前記携帯端末装置の所定の動作に基づいて、前記携帯端末装置通信部による前記画像処理装置との間の通信確立の要求、および所定のジョブの実行の要求を送信するよう制御する携帯端末装置送信制御部と、
前記画像処理装置から送信された前記通信確立の要求に対する返信および前記画像処理装置の特定情報を前記携帯端末装置通信部により受信したか否かを判断する携帯端末装置判断部と、
前記携帯端末装置判断部により、前記通信確立の要求に対する返信および前記特定情報を受信したと判断されれば、前記特定情報を前記タッチパネルに表示するよう制御する表示制御部とを備え、
前記画像処理装置は、
前記携帯端末装置との間で無線通信を確立させる画像処理装置通信部と、
前記携帯端末装置から送信された前記通信確立の要求、および前記所定のジョブの実行の要求を前記画像処理装置通信部により受信したか否かを判断する画像処理装置判断部と、
前記画像処理装置判断部により、前記通信確立の要求を受信したと判断されれば、前記画像処理装置通信部により、受信された前記通信確立の要求に対する返信および前記特定情報を送信するよう制御する画像処置装置送信制御部と、
前記画像処理装置判断部により、前記所定のジョブの実行の要求を受信したと判断されれば、前記所定のジョブを実行するよう制御するジョブ実行制御部とを備える、画像処理システム。
【請求項２】
複数の前記画像処理装置を含み、
前記表示制御部は、前記携帯端末装置判断部により、複数の前記画像処理装置から前記要求に対する返信および前記特定情報をそれぞれ受信したと判断されれば、受信されたそれぞれの前記要求に対する返信およびそれぞれの前記特定情報を前記タッチパネルに表示するよう制御する、請求項１に記載の画像処理システム。
【請求項３】
前記画像処理装置は、外部から視認可能な位置で点灯する照明部をさらに備え、
前記特定情報は、前記画像処理装置が前記照明部を備えるか否かの情報を含み、
前記表示制御部は、押下により前記照明部を点灯させる点灯キーを前記タッチパネルに表示するよう制御し、
前記照明部は、前記点灯キーの押下により点灯する、請求項１または２に記載の画像処理システム。
【請求項４】
前記特定情報は、前記携帯端末装置の位置からの距離の情報および前記携帯端末装置の位置に対する方向の情報の少なくともいずれか一方を含む、請求項１〜３のいずれかに記載の画像処理システム。
【請求項５】
前記特定情報は、前記携帯端末装置を所有するユーザーの前記画像処理装置が配置された位置まで移動するのに要する時間の情報を含む、請求項１〜４のいずれか１項に記載の画像処理システム。
【請求項６】
前記表示制御部は、前記携帯端末装置判断部により前記要求に対する返信および前記特定情報を受信しなかったと判断されれば、その旨を前記タッチパネルに表示するよう制御する、請求項１〜５のいずれか１項に記載の画像処理システム。
【請求項７】
前記画像処理装置送信制御部は、前記ジョブ実行制御部により前記ジョブの実行を開始した後、前記ジョブの進行状況に関する情報を前記携帯端末装置に送信し、
前記表示制御部は、前記画像処理装置から送信された前記ジョブの進行状況に関する情報を前記携帯端末装置通信部により受信すれば、前記タッチパネルに表示するよう制御する、請求項１〜６のいずれか１項に記載の画像処理システム。
【発明の詳細な説明】
【技術分野】
【０００１】
この発明は、画像処理システムに関するものである。
【背景技術】
【０００２】
複合機に代表される画像処理装置や画像形成装置においては、画像データを基に、感光体に対して光を照射し、感光体上に静電潜像を形成する。その後、形成した静電潜像の上に帯電したトナーを供給して可視画像とした後、用紙に転写して定着させ、装置外に排出して印刷する。
【０００３】
昨今、画像形成装置や画像処理装置には、スマートフォンや携帯電話といった携帯型の端末機器と所定の距離を隔てて接続可能に構成されるものがある。そして、このような画像形成装置に対し、携帯型の端末機器から遠隔で印刷ジョブの送信等を行うことができるものがある。携帯型の端末機器から画像形成装置へのジョブの送信に関する技術が、特開２０１４−２２９１６４号公報（特許文献１）に開示されている。
【０００４】
特許文献１に開示の設定装置は、ユーザーが保持する携帯型移動端末に、携帯型移動端末に接続可能な複数の画像形成装置のうちいずれかを、動作を実行させる対象として設定する。設定装置は、第一の取得手段と、第二の取得手段と、第一の検出手段と、第二の検出手段と、第三の検出手段と、第一の特定手段と、第二の特定手段と、対象設定手段とを備える。第一の取得手段は、複数の画像形成装置のそれぞれの位置情報を取得する。第二の取得手段は、携帯型移動端末の位置情報を取得する。第一の検出手段は、ユーザーにより携帯型移動端末に対して所定態様の動作が加えられたことを検出する。第二の検出手段は、所定態様の動作の速さに関する情報を検出する。第三の検出手段は、所定態様の動作の方向に関する情報を検出する。第一の特定手段は、第一の検出手段により所定態様の動作が加えられたことが検出された場合において、第一の取得手段により取得された位置情報と、第二の取得手段により取得された位置情報と、第三の検出手段による検出結果とに基づいて、携帯型移動端末から所定態様の動作の方向に位置する画像形成装置を特定する。第二の特定手段は、第一の特定手段により特定された画像形成装置が複数であるとき、第二の検出手段により検出された情報に基づいて、それらの画像形成装置のうち一の画像形成装置を特定する。対象設定手段は、第二の特定手段により一の画像形成装置が特定されたとき、その画像形成装置を対象に設定して携帯型移動端末に所定の動作を実行させる。特許文献１に開示の設定装置は、上記のような構成を採用している。
【先行技術文献】
【特許文献】
【０００５】
【特許文献１】特開２０１４−２２９１６４号公報
【発明の概要】
【発明が解決しようとする課題】
【０００６】
特許文献１においては、携帯型移動端末に対して同じ方向に複数の画像形成装置が配置されていた場合、フリック速度の違いや振り下ろし動作の違いに基づいて、ジョブを送信する画像形成装置を特定することとしている。
【０００７】
しかし、このような特許文献１に開示の技術では、ユーザーの意図する画像形成装置にジョブを送信できたかどうか不明確となるおそれがある。特に、携帯型移動端末の操作に不慣れな老人や子供が操作者であった場合、その傾向が顕著となる。そうすると、ジョブが送信された画像形成装置を、ジョブの終了後に探し回らなければならないおそれがあり、ユーザーの利便性を損なうことにもなりかねない。
【０００８】
この発明の目的は、ユーザーの利便性の向上を図ることができる画像処理システムを提供することである。
【課題を解決するための手段】
【０００９】
この発明に係る画像処理システムは、画像を処理する画像処理装置、および画像処理装置と無線通信が可能な携帯端末装置を含む。携帯端末装置は、タッチパネルと、携帯端末装置通信部と、携帯端末装置送信制御部と、携帯端末装置判断部と、表示制御部とを備える。タッチパネルは、情報を表示すると共に、情報の入力を受け付ける。携帯端末装置通信部は、画像処理装置との間で無線通信を確立させる。携帯端末装置送信制御部は、携帯端末装置の所定の動作に基づいて、携帯端末装置通信部による画像処理装置との間の通信確立の要求、および所定のジョブの実行の要求を送信するよう制御する。携帯端末装置判断部は、画像処理装置から送信された通信確立の要求に対する返信および画像処理装置の特定情報を携帯端末装置通信部により受信したか否かを判断する。表示制御部は、携帯端末装置判断部により、通信確立の要求に対する返信および特定情報を受信したと判断されれば、特定情報をタッチパネルに表示するよう制御する。画像処理装置は、画像処理装置通信部と、画像処理装置判断部と、画像処理装置送信制御部と、ジョブ実行制御部とを備える。画像処理装置通信部は、携帯端末装置との間で無線通信を確立させる。画像処理装置判断部は、携帯端末装置から送信された通信確立の要求、および所定のジョブの実行の要求を画像処理装置通信部により受信したか否かを判断する。画像処理装置送信制御部は、画像処理装置判断部により、通信確立の要求を受信したと判断されれば、画像処理装置通信部により、受信された通信確立の要求に対する返信および特定情報を送信するよう制御する。ジョブ実行制御部は、画像処理装置判断部により、所定のジョブの実行の要求を受信したと判断されれば、所定のジョブを実行するよう制御する。
【発明の効果】
【００１０】
このような画像処理システムによれば、ユーザーの利便性の向上を図ることができる。
【図面の簡単な説明】
【００１１】
【図１】この発明の一実施形態に係る画像処理システムの外観を示す概略図である。
【図２】図１に示す画像処理システムの構成を示すブロック図である。
【図３】複合機制御部の構成を示すブロック図である。
【図４】携帯端末装置制御部の構成を示すブロック図である。
【図５】携帯端末装置から複合機に印刷ジョブの要求を行う場合の処理の流れを示すフローチャートである。
【図６】複合機のそれぞれの特定情報が表示されたタッチパネルの一例を示す図である。
【図７】ジョブの実行のステータス情報が表示されたタッチパネルの一例を示す図である。
【図８】通信確立の要求に対する返信および特定情報を受信したと判断されなかった場合に表示されるタッチパネルの一例を示す図である。
【図９】タッチパネルに表示された複合機の位置情報を示す具体的な特定情報を示す図である。
【発明を実施するための形態】
【００１２】
以下、この発明の実施の形態を説明する。図１は、この発明の一実施形態に係る画像処理システムの外観を示す概略図である。図２は、図１に示す画像処理システムの構成を示すブロック図である。
【００１３】
図１および図２を参照して、画像処理システム２４は、画像を処理する画像処理装置としての二台の複合機１１ａ、１１ｂ、および複合機１１ａ、１１ｂとそれぞれ無線通信が可能な携帯端末装置３１を含む。携帯端末装置３１は、例えば、複合機１１ａ、１１ｂの近傍に滞在するユーザーによって所有されるものである。携帯端末装置３１としては、具体的には、例えば、スマートフォンや携帯電話が採用される。
【００１４】
ここでまず、複合機１１ａの構成について説明する。なお、複合機１１ｂの構成については、複合機１１ａの構成と同様であるため、その説明を省略する。また、図２において、複合機１１ｂの構成は、簡略化して図示している。
【００１５】
複合機１１ａは、画像処理に関し、複写機能、プリンター機能、ファクシミリ機能等、複数の機能を有する。複合機１１ａは、複合機制御部１２と、操作部１３と、画像読み取り部１４と、画像形成部１５と、給紙カセット１６と、複合機ハードディスク１７と、ネットワーク２３と接続するための複合機ネットワークインターフェース部１８と、照明部２５と、複合機通信部２６とを備える。
【００１６】
複合機制御部１２は、複合機１１ａ全体の制御を行う。なお、複合機制御部１２は、ＣＰＵ等から構成されており、一時的にデータを記憶する主記憶メモリ１９を含む。操作部１３は、複合機１１ａ側から発信される情報やユーザーの入力内容を表示するタッチパネル型式の表示画面２１を含む。操作部１３は、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。給紙カセット１６は、複数設けられており、それぞれ複数枚の用紙をその内部に収納することができる。画像形成部１５は、画像読み取り部１４により読み取られた原稿の画像データやネットワークを介して送信された画像データを基に、給紙カセット１６から搬送されてきた用紙に画像を形成する。複合機ハードディスク１７は、送信された画像データや入力された画像形成条件等、画像形成に関するデータを記憶する。
【００１７】
複合機１１ａは、照明部２５を備える。照明部２５は、外部から視認可能な位置で点灯するよう構成されている。この場合、照明部２５は、操作部１３の表示画面２１の一部に設けられており、点灯要求を受信することにより、点灯する。照明部２５は、例えば、ＬＥＤ（Ｌｉｇｈｔ  Ｅｍｉｔｔｉｎｇ  Ｄｉｏｄｅ）ライトから構成されている。
【００１８】
複合機１１ａは、画像処理装置通信部としての複合機通信部２６を備える。この複合機通信部２６により、外部装置、この場合、携帯端末装置３１との無線通信を確立させ、情報の送受信を行うことができる。
【００１９】
次に、複合機制御部１２の構成について説明する。図３は、複合機制御部１２の構成を示すブロック図である。図３を参照して、複合機制御部１２は、画像処理装置判断部としての複合機判断部２７と、画像処理装置送信制御部としての複合機送信制御部２８と、ジョブ実行制御部２９とを備える。複合機判断部２７は、携帯端末装置３１から送信された通信確立の要求、および所定のジョブの実行の要求を複合機通信部２６により受信したか否かを判断する。複合機送信制御部２８は、複合機判断部２７により、通信確立の要求を受信したと判断されれば、複合機通信部２６により、受信された通信確立の要求に対する返信および複合機１１ａの特定情報を送信するよう制御する。ジョブ実行制御部２９は、複合機判断部２７により、所定のジョブの実行の要求を受信したと判断されれば、所定のジョブを実行するよう制御する。これらの構成については、後に詳述する。
【００２０】
次に、携帯端末装置３１の構成について説明する。携帯端末装置３１は、携帯端末装置制御部３２と、ネットワーク２３と接続するための携帯端末装置ネットワークインターフェース部３３と、携帯端末装置記憶部３４と、タッチパネル３５と、携帯端末装置通信部３６とを含む。携帯端末装置制御部３２は、携帯端末装置３１自身を制御する。携帯端末装置記憶部３４は、種々のデータを記憶する。タッチパネル３５は、情報を表示すると共に、情報の入力を受け付ける。具体的には、タッチパネル３５は、携帯端末装置３１側から発信する情報やユーザーの入力内容を表示する。また、タッチパネル３５は、例えば、ユーザーの指によるタップやスワイプにより、ユーザーからの種々の操作内容の入力を受け付ける。携帯端末装置通信部３６により、外部装置、この場合、複合機１１ａとの情報の送受信を行うことができる。
【００２１】
携帯端末装置制御部３２の構成について説明する。図４は、携帯端末装置制御部３２の構成を示すブロック図である。図４を参照して、携帯端末装置制御部３２は、携帯端末装置送信制御部３７と、携帯端末装置判断部３８と、表示制御部３９とを備える。携帯端末装置送信制御部３７は、携帯端末装置３１の所定の動作に基づいて、携帯端末装置通信部３６による複合機１１ａ、１１ｂとの間の通信確立の要求、および所定のジョブの実行の要求を送信するよう制御する。所定の動作としては、例えば、フリック動作や携帯端末装置３１の振り下ろし動作等である。携帯端末装置判断部３８は、複合機１１ａ、１１ｂから送信された通信確立の要求に対する返信および複合機１１ａ、１１ｂの特定情報を携帯端末装置通信部３６により受信したか否かを判断する。表示制御部３９は、携帯端末装置判断部３８により、通信確立の要求に対する返信および特定情報を受信したと判断されれば、複合機１１ａ、１１ｂの特定情報をタッチパネル３５に表示するよう制御する。これらの構成については、後に詳述する。
【００２２】
次に、画像処理システム２４を用いて、携帯端末装置３１から複合機１１ａに印刷ジョブの要求を行う場合について説明する。図５は、携帯端末装置３１から複合機１１ａに印刷ジョブの要求を行う場合の処理の流れを示すフローチャートである。
【００２３】
図５を参照して、携帯端末装置３１を所有するユーザーは、複合機１１ａに向かって、携帯端末装置３１の振り下ろし動作を行う。そうすると、携帯端末装置３１、具体的には、携帯端末装置制御部３２は、振り下ろし動作を自らが検知する（図５において、ステップＳ１１、以下、「ステップ」を省略する）。そして、携帯端末装置送信制御部３７は、無線通信を確立させる通信確立の要求を複合機１１ａ、および複合機１１ａの近傍であって複合機１１ａと同じ方向に位置する１１ｂへ送信する（Ｓ１２）。
【００２４】
そうすると、複合機１１ａに備えられる複合機判断部２７は、複合機通信部２６により、携帯端末装置３１から送信された通信確立の要求を受信したか否かを判断する（Ｓ１３）。この場合、通信確立の要求を受信したと判断されれば（Ｓ１３において、ＹＥＳ）、複合機送信制御部２８は、通信確立の要求に対する返信および複合機１１ａを特定する特定情報を携帯端末装置３１に送信する（Ｓ１４）。ここでは、複合機１１ｂにおいても同様に、通信確立の要求に対する返信および複合機１１ｂを特定する特定情報を携帯端末装置３１に送信する。
【００２５】
その後、携帯端末装置判断部３８は、複合機１１ａ、１１ｂ側から送信された通信確立の要求に対する返信および複合機１１ａ、１１ｂの特定情報を携帯端末装置通信部３６により受信したか否かを判断する（Ｓ１５）。携帯端末装置判断部３８により、通信確立の要求に対する返信および複合機１１ａ、１１ｂのそれぞれの特定情報を受信したと判断されれば（Ｓ１５において、ＹＥＳ）、表示制御部３９は、複合機１１ａ、１１ｂのそれぞれの特定情報をタッチパネル３５に表示するよう制御する（Ｓ１６）。
【００２６】
図６は、複合機１１ａ、１１ｂのそれぞれの特定情報が表示されたタッチパネル３５の一例を示す図である。図６を参照して、携帯端末装置３１のタッチパネル３５には、二つの特定情報４１ａ、４１ｂが並列に表示されている。特定情報４１ａは、複合機１１ａから受信されたものであり、特定情報４１ｂは、他の複合機１１ｂから受信されたものである。
【００２７】
特定情報４１ａは、「ＭＦＰ０２」という複合機１１ａに付与されている名称の情報と、「場所：本棚左脇」という複合機１１ａの設置された位置の情報と、「メーカー：ＢＢＢ」という複合機１１ａの製造元の会社名という情報と、「カラー印刷：￥ｘｘｘ」という複合機１１ａにおける印刷態様に関する情報とから構成されている。この場合はタップにより携帯端末装置通信部３６および複合機通信部２６を介して、複合機１１ａに備えられる照明部２５に点灯要求を送信する点灯キー４２ａが表示されている。すなわち、特定情報４１ａは、複合機１１ａが照明部２５を備えるか否かの情報を含む。点灯キー４２ａは、照明をモチーフとしたアイコンから構成されている。
【００２８】
なお、特定情報４１ｂは、「ＭＦＰ０１」という複合機１１ｂに付与されている名称の情報と、「場所：入り口左脇」という複合機１１ｂの設置された位置の情報と、「メーカー：ＡＡＡ」という複合機１１ｂの製造元の会社名という情報と、「カラー印刷：￥ＸＸＸ」という複合機１１ｂにおける印刷態様に関する情報とから構成されている。また、タッチパネル３５には、上記と同様に、複合機１１ｂに備えられる照明部２５に点灯命令を送信する点灯キー４２ｂが表示されている。なお、表示制御部３９は、特定情報４１ａ、４１ｂについて、それぞれの色を異ならせて表示することにより、それぞれ異なる情報であるということを、容易にユーザーに認識させることができる。
【００２９】
ユーザーは、タッチパネル３５に表示された特定情報４１ａ、４１ｂを見て、通信が確立された複合機１１ａ、１１ｂ、およびこれら複合機１１ａ、１１ｂの特定情報、具体的には、複合機１１ａ、１１ｂの位置等を把握する。ここで、複合機１１ａ、１１ｂの具体的な位置の確認を行いたい場合には、点灯キー４２ａ、４２ｂをそれぞれ別個にタップする。点灯キー４２ａのタップを検知すれば（Ｓ１７において、ＹＥＳ）、複合機１１ａに対して、点灯要求を送信する（Ｓ１８）。複合機１１ａ側は、点灯要求を受信すると、照明部２５を点灯させる（Ｓ１９）。ユーザーは、点灯した照明部２５を備える複合機１１ａを見て、特定情報４１ａとリンクした複合機１１ａの位置を視覚的に認識することができる。点灯キー４２ｂをタップした場合も同様に、複合機１１ｂに備えられる照明部２５が点灯する。なお、照明部２５は、点灯要求を受信してから所定の時間点灯した後、消灯する。
【００３０】
その後、ユーザーは、印刷ジョブを送信する複合機１１ａ、１１ｂを特定する。この場合、ユーザーは、自らの現在滞在している位置や、要求する印刷が実行できるか否か等を考慮して、複合機１１ａを選択して特定したとする。そうすると、ユーザーは、携帯端末装置３１により、複合機１１ａに対して、印刷ジョブを実行する要求を送信する。具体的には、携帯端末装置送信制御部３７は、複合機１１ａに印刷ジョブを実行する要求を送信するよう制御する（Ｓ２０）。
【００３１】
その後、複合機１１ａ側において、印刷ジョブを実行する要求を受信したか否かが判断される（Ｓ２１）。複合機判断部２７により、印刷ジョブを実行する要求を受信したと判断されれば（Ｓ２１において、ＹＥＳ）、ジョブ実行制御部２９は、印刷ジョブの実行を開始する（Ｓ２２）。具体的には、印刷ジョブの実行の要求と共に送信され、複合機１１ａ側において受信された画像データを基に、画像形成部１５により画像を形成し、用紙への印刷を開始する。印刷ジョブの実行の開始後、複合機送信制御部２８は、印刷ジョブの実行のステータス情報を送信するよう制御する（Ｓ２３）。
【００３２】
送信された印刷ジョブの実行のステータスを携帯端末装置３１側において受信すれば、表示制御部３９は、印刷ジョブの実行のステータス情報をタッチパネル３５に表示するよう制御する。
【００３３】
図７は、ジョブの実行のステータス情報が表示されたタッチパネル３５の一例を示す図である。図７を参照して、タッチパネル３５には、ジョブの実行のステータス情報４３として、複合機１１ａにおける印刷ジョブの進行状況が表示されている。具体的には、タッチパネル３５には、ステータス情報４３として、「ＭＦＰ０２」との表示と、「メーカー：ＢＢＢ」との表示と、「印刷８０％」という印刷の進行状況の表示とがある。ユーザーは、例えば、複合機１１ａが設置されている位置に歩いて向かう途中で、このタッチパネル３５に表示されたステータス情報４３を見て、印刷ジョブの進行状況、この場合、印刷が８０％終了している旨等を把握する。
【００３４】
複合機１１ａ側において、所定の時間内に印刷ジョブが終了したことを検知すると（Ｓ２４において、ＹＥＳ）、そのまま処理を終了する。一方、用紙が途中でなくなった等、印刷ジョブが所定の時間内に終了しなければ（Ｓ２４において、ＮＯ）、その旨、すなわち、印刷ジョブがどのような状態で印刷を時間内に終了できなかったかのステータス情報を送信する（Ｓ２５）。その後、携帯端末装置３１側においてステータス情報が表示される。そして、ユーザーは、タッチパネル３５に表示されたステータス情報を見て、印刷が終了しなかった要因を把握する。なお、所定の時間については、印刷の分量等、要求される印刷態様に応じて適宜設定されるものである。
【００３５】
このように構成することにより、携帯端末装置３１から送信された通信確立の要求に対する返信および複合機１１ａ、１１ｂの特定情報を受信したと判断されれば、受信された要求に対する返信および複合機１１ａ、１１ｂの特定情報４１ａ、４１ｂをタッチパネル３５に表示することとしている。そうすると、携帯端末装置３１を所有するユーザーが、受信された特定情報４１ａ、４１ｂにより、通信確立の要求を受信した複合機１１ａ、１１ｂを特定して、所定のジョブの実行を要求した複合機１１ａを容易に把握することができる。したがって、ユーザーは、所定のジョブが実行されている複合機１１ａの設置された場所へ迷うことなく赴き、ジョブの実行結果を得ることができる。その結果、ユーザーの利便性を向上することができる。
【００３６】
この場合、表示制御部３９は、携帯端末装置判断部３８により、複数の複合機１１ａ、１１ｂから要求に対する返信および特定情報４１ａ、４１ｂをそれぞれ受信したと判断されれば、受信されたそれぞれの要求に対する返信およびそれぞれの特定情報４１ａ、４１ｂをタッチパネル３５に表示するよう制御されているため、それぞれの複合機１１ａ、１１ｂの位置等を容易に把握することができる。
【００３７】
また、この場合、複合機１１ａ、１１ｂは、外部から視認可能な位置で点灯する照明部２５を備える構成である。そして、特定情報は、複合機１１ａ、１１ｂが照明部２５を備えるか否かの情報を含む。表示制御部３９は、押下により照明部２５を点灯させる点灯キー４２ａ、４２ｂをタッチパネル３５に表示するよう制御する。照明部２５は、点灯キー４２ａ、４２ｂの押下により点灯する。そうすると、照明部２５の点灯により、複合機１１ａ、１１ｂが設置された位置を容易に把握することができる。したがって、よりユーザーの利便性の向上を図ることができる。
【００３８】
また、この場合、複合機送信制御部２８は、ジョブの実行を開始した後、ジョブの進行状況に関する情報を携帯端末装置３１に送信し、表示制御部３９は、複合機１１ａから送信されたジョブの進行状況に関する情報を携帯端末装置通信部３６により受信すれば、タッチパネル３５に表示するよう制御しているため、ジョブの進行状況を的確に把握することができる。したがって、ユーザーの利便性のさらなる向上を図ることができる。
【００３９】
なお、上記したＳ１５において、携帯端末装置判断部３８により、所定の時間経過後、通信確立の要求に対する返信および特定情報４１ａ、４１ｂを受信したと判断されなければ（Ｓ１５において、ＮＯ）、表示制御部３９は、その旨をタッチパネル３５に表示するよう制御する。
【００４０】
図８は、通信確立の要求に対する返信および特定情報４１ａ、４１ｂを受信したと判断されなかった場合に表示されるタッチパネル３５の一例を示す図である。図８を参照して、携帯端末装置３１のタッチパネル３５には、「送信エラー  リトライしてください。」とのメッセージ４６が表示制御部３９により表示される。こうすることにより、通信確立の要求の送信が失敗した旨を、ユーザーは容易に把握することができる。したがって、再度の通信確立の要求の送信を適切に促すことができる。
【００４１】
また、上記の実施の形態において、複合機１１ａが照明部２５を備えなかった場合、その位置情報を示す具体的な特定情報を送信することにしてもよい。
【００４２】
図９は、タッチパネル３５に表示された複合機１１ａの位置情報を示す具体的な特定情報４７を示す図である。図９を参照して、携帯端末装置３１のタッチパネル３５には、特定情報４７が表示されている。特定情報４７には、東西南北の方角を示す方角情報４８ａと、携帯端末装置３１の現在位置を示す現在位置情報４８ｂと、携帯端末装置３１の現在位置から複合機１１ａまでの距離の情報、この場合、４ｍ（メートル）との情報、および方向情報４８ｃとが含まれている。これら表示された方角情報４８ａ、現在位置情報４８ｂ、距離および方向情報４８ｃから、ユーザーは、複合機１１ａのおおよその位置等を把握することができる。なお、携帯端末装置３１の現在位置の情報については、携帯端末装置３１に備えられるＧＰＳ装置等によって検知し、複合機１１ａが受信することにより取得することができる。この特定情報４７については、予め複合機１１ａを管理する管理者等によって複合機１１ａ側に入力され、複合機ハードディスク１７等に記憶されている。
【００４３】
このような構成は、例えば、複合機１１ａ、１１ｂがコンビニエンスストア等に設置されており、ユーザーが複合機１１ａ、１１ｂの位置を把握できていない場合等において有効である。特に、複合機１１ａ、１１ｂによって印刷費用が異なる場合、特定情報４１ａ、４１ｂに含まれる印刷費用の情報を見て、ユーザーの滞在している位置から遠いけれども、ユーザーが安い方を選択したい場合に有効に活用することができる。また、複合機１１ａ、１１ｂが照明部２５を備えていない場合にも、有効である。
【００４４】
なお、上記の実施の形態において、特定情報４７は、携帯端末装置３１の位置からの距離の情報および携帯端末装置３１の位置に対する方向の情報の少なくともいずれか一方を含むこととしてもよい。また、特定情報４７は、携帯端末装置３１を所有するユーザーの複合機１１ａが配置された位置まで移動するのに要する時間の情報を含むこととしてもよい。
【００４５】
また、上記の実施の形態において、照明部２５は、操作部１３の表示画面２１の一部に設けられていることとしたが、これに限らず、他の部分、例えば、画像を形成された用紙が排出される排出トレイの一部や、ＡＤＦ２２の一部に照明部２５を設けることとしてもよい。
【００４６】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４７】
この発明に係る画像処理システムは、ジョブを画像処理装置に実行させる際のユーザーの利便性が要求される場合に、特に有効に利用される。
【符号の説明】
【００４８】
１１ａ，１１ｂ  複合機、１２  複合機制御部、１３  操作部、１４  画像読み取り部、１５  画像形成部、１６  給紙カセット、１７  複合機ハードディスク、１８  複合機ネットワークインターフェース部、１９  主記憶メモリ、２１  表示画面、２２  ＡＤＦ、２３  ネットワーク、２４  画像処理システム、２５  照明部、２６  複合機通信部、２７  複合機判断部、２８  複合機送信制御部、２９  ジョブ実行制御部、３１  携帯端末装置、３２  携帯端末装置制御部、３３  携帯端末装置ネットワークインターフェース部、３４  携帯端末装置記憶部、３５  タッチパネル、３６  携帯端末装置通信部、３７  携帯端末装置送信制御部、３８  携帯端末装置判断部、３９  表示制御部、４１ａ、４１ｂ，４７  特定情報、４２ａ，４２ｂ  点灯キー、４３  ステータス情報、４６  メッセージ、４８ａ  方角情報、４８ｂ、現在位置情報、４８ｃ  距離および方向情報。
【図１】
2018013952.tif 000003
【図２】
2018013952.tif 000004
【図３】
2018013952.tif 000005
【図４】
2018013952.tif 000006
【図５】
2018013952.tif 000007
【図６】
2018013952.tif 000008
【図７】
2018013952.tif 000009
【図８】
2018013952.tif 000010
【図９】
2018013952.tif 000011